(57)【要約】【課題】舌片が変形して他の舌片と搬送ガイドとの間に挟まってしまっても、メンテナンスを行うことなく、紙幣を正常に集積できる状態に復帰できるようにする。【解決手段】搬送ガイド４０の裏面側の開放部５３を、変形した舌片６１Ａ全体のうち、巻付方向に隣接する次の舌片６２Ｂの根本部分から先端までの部分が開放部５３内に収まることができる大きさとした。こうすることで、舌片ローラ４３を回転している途中で、変形している舌片６１Ａ全体のうち、次の舌片６２Ｂの根本部分から先端までの部分が開放部５３内に位置する期間を設けることができ、このとき、変形している舌片６１Ａは、自身の弾性によって、元の形状に戻ることができる。【選択図】図８
2018112943.tif 000002
【特許請求の範囲】
【請求項１】
紙葉類を集積する集積空間と、
回転軸を中心に回転して前記集積空間に前記紙葉類を放出する駆動ローラと、
前記駆動ローラの前記回転軸と同軸上に設けられ、前記回転軸に固定されるボスと当該ボスの外周面から放射状に延び前記集積空間に放出された紙葉類を叩く複数の舌片とを有する舌片ローラと、
前記紙葉類をガイドするガイド面を形成する搬送ガイドと
を備え、
前記搬送ガイドは、
前記ガイド面とは反対側に設けられ、前記回転軸が配置される空間である開放部と、
前記開放部と前記ガイド面とを連通し、前記舌片ローラの舌片を前記ガイド面側に露出させる開口部と
を有し、
前記開放部は、
前記複数の舌片のうちの一の舌片が前記回転軸に巻き付くように変形した状態で前記舌片ローラが回転するときに、前記一の舌片全体のうち、当該一の舌片が前記回転軸に巻き付く方向に隣接する次の舌片から当該一の舌片の先端までの部分が収まる大きさとなっている
ことを特徴とする紙葉類集積装置。
【請求項２】
前記舌片は、
前記回転軸に巻き付くように変形しても自ら元の形状に戻ることができる弾性素材で形成されている
ことを特徴とする請求項１に記載の紙葉類集積装置。
【請求項３】
前記開口部は、
当該開口部の幅方向の長さが前記舌片の幅方向の長さより大きく、前記開口部から露出する前記舌片と前記搬送ガイドとの間に、前記舌片の幅方向の長さよりも狭い隙間を空けて形成される
ことを特徴とする請求項１又は２に記載の紙葉類集積装置。
【請求項４】
前記搬送ガイドは、
前記紙葉類を前記集積空間までガイドする搬送ガイド面を形成する搬送ガイド面形成部と、前記集積空間に集積された紙葉類をガイドする集積ガイド面を形成する集積ガイド面形成部とで構成され、
前記開放部は、
前記搬送ガイド面形成部と前記集積ガイド面形成部との角部であって、前記搬送ガイド面及び前記集積ガイド面とは反対側に設けられている
ことを特徴とする請求項１〜３のいずれかに記載の紙葉類集積装置。
【請求項５】
前記開放部は、
前記搬送ガイド面の反対側に位置する第１の面と、前記集積ガイド面の反対側に位置する第２の面との間の空間であり、当該第１の面と当該第２の面との間に、前記回転軸に巻き付くように変形した前記一の舌片全体のうち、当該一の舌片が前記回転軸に巻き付く方向に隣接する次の舌片から当該一の舌片の先端までの部分が収まる大きさとなっている
ことを特徴とする請求項４に記載の紙葉類集積装置。
【請求項６】
前記舌片ローラは、
前記集積空間の上部に放出された紙葉類を叩き落とすとともに、当該紙葉類を前記集積ガイド面に引き寄せる
ことを特徴とする請求項４又は５に紙葉類集積装置。
【請求項７】
前記舌片ローラは複数個有り、
前記開口部は、
前記舌片ローラの舌片を露出させる小開口部と、当該小開口部より幅が広く、前記舌片ローラの舌片と、当該舌片ローラと隣接する前記駆動ローラの外周の一部とを露出させる大開口部とがあり、
前記大開口部は、
前記大開口部から露出する前記舌片ローラの舌片と前記搬送ガイドとの間に、前記舌片の幅よりも狭い第１の隙間が形成され、前記大開口部から露出する前記舌片ローラの舌片と前記駆動ローラの外周の一部との間には、前記第１の隙間よりも狭い第２の隙間が形成される
ことを特徴とする請求項３に記載の紙葉類集積装置。
【請求項８】
前記舌片の長さは、前記ボスの外周より短い
ことを特徴とする請求項１〜７のいずれかに記載の紙葉類集積装置。
【請求項９】
紙葉類を集積する集積空間と、回転軸を中心に回転して前記集積空間に前記紙葉類を放出する駆動ローラと、前記駆動ローラの前記回転軸と同軸上に設けられ、前記回転軸に固定されるボスと当該ボスの外周面から放射状に延び前記集積空間に放出された紙葉類を叩く複数の舌片とを有する舌片ローラと、前記紙葉類をガイドするガイド面を形成する搬送ガイドとを備えた紙葉類集積装置と、
前記紙葉類を前記紙葉類集積装置へ搬送する搬送部と
を備え、
前記搬送ガイドは、
前記ガイド面とは反対側に設けられ、前記回転軸が配置される空間である開放部と、
前記開放部と前記ガイド面とを連通し、前記舌片ローラの舌片を前記ガイド面側に露出させる開口部と
を有し、
前記開放部は、
前記複数の舌片のうちの一の舌片が前記回転軸に巻き付くように変形した状態で前記舌片ローラが回転するときに、前記一の舌片全体のうち、当該一の舌片が前記回転軸に巻き付く方向に隣接する次の舌片から当該一の舌片の先端までの部分が収まる大きさとなっている
ことを特徴とする紙葉類処理装置。
【発明の詳細な説明】
【技術分野】
【０００１】
本発明は、紙葉類集積装置及び紙葉類処理装置に関するものであり、例えば、紙葉類を集積する集積空間に紙葉類を叩き落とす舌片ローラを有する紙葉類集積装置及びこの紙葉類集積装置を備えた紙葉類処理装置に適用して好適なものである。
【背景技術】
【０００２】
従来、紙葉類処理装置として、金融機関などに設置され、利用者（例えば金融機関の顧客）からの要求に応じて、紙幣や硬貨などの現金を出金する現金自動取引装置がある。現金自動取引装置は、出金する紙幣として適さない紙幣（これを出金リジェクト紙幣と呼ぶ）を集積するリジェクトカセットを備え、出金リジェクト紙幣をこのリジェクトカセットに集積することで、他の紙幣とは区別して管理するようになっている。
【０００３】
リジェクトカセットは、出金リジェクト紙幣を集積する集積空間と、リジェクトカセットへと搬送されてきた出金リジェクト紙幣を集積空間へとガイドする搬送ガイドと、出金リジェクト紙幣を集積空間へ放出する駆動ローラ及び従動ローラと、集積空間に放出された紙幣を叩き落とす舌片ローラとを備えている。
【０００４】
リジェクトカセットは、駆動ローラと従動ローラとを回転させて、これらの間に挟まれた出金リジェクト紙幣を集積空間へと放出する。さらに、リジェクトカセットは、舌片ローラを回転させて、集積空間に放出された紙幣を叩き落とすことで、集積空間に紙幣を集積するようになっている（例えば特許文献１参照）。
【０００５】
舌片ローラは、駆動軸に取り付けられた円筒状のボスと、このボスの外周面から放射状に延びる弾性素材で形成された複数の舌片とで構成された羽根車形状のローラである。舌片ローラは、搬送ガイドのガイド面の反対側（裏面側）に配置された駆動軸にボスが固定され、このボスから延びる舌片が搬送ガイドに設けられたスリットを通ってガイド面側に露出するようになっている。そしてこの舌片ローラは、駆動軸とともに回転しながら、ガイド面側に露出する舌片により紙幣を叩き落とすようになっている。
【先行技術文献】
【特許文献】
【０００６】
【特許文献１】特願２０１３−２３９０７５号公報
【発明の概要】
【発明が解決しようとする課題】
【０００７】
ところで、リジェクトカセットへ搬送されてくる出金リジェクト紙幣は、折れ曲がりや破れた状態の紙幣や、複数枚が重なった重送状態の紙幣が混在している。リジェクトカセットでは、このような出金リジェクト紙幣を舌片により叩き落とす際に、舌片への抵抗が増加して、舌片の回転軌跡が本来の回転軌跡から回転軸方向にずれてしまうことがある。さらに、本来の回転軌跡からずれた舌片が、駆動軸に巻き付くように変形して他の舌片と搬送ガイドとの隙間（つまりスリットの一部）に入り込み、他の舌片と搬送ガイドとにより挟持されてしまうことがあった。この場合、変形した舌片は、他の舌片と搬送ガイドとにより挟持されている為、元の形状に戻ることができず、変形したままとなる。
【０００８】
このように舌片が駆動軸に巻き付くように変形したままだと、舌片ローラは、正常に機能する舌片の数が減る為、紙幣を１枚１枚適切に叩き落とすことができなくなる。この結果、現金自動取引装置では、リジェクトカセットに紙幣を正常に集積できなくなり、休止してリジェクトカセットのメンテナンスを行わなければならなくなる。
【０００９】
このように、従来のリジェクトカセットでは、舌片が変形して他の舌片と搬送ガイドとの間に挟まってしまうと、メンテナンスを行わない限り、紙幣を正常に集積できる状態に復帰できないという問題を有していた。
【００１０】
本発明は以上の点を考慮してなされたもので、舌片が変形して他の舌片と搬送ガイドとの間に挟まってしまっても、メンテナンスを行うことなく、紙幣を正常に集積できる状態に復帰できるようにした紙葉類集積装置及び紙葉類処理装置を提案するものである。
【課題を解決するための手段】
【００１１】
かかる課題を解決するため本発明においては、紙葉類を集積する集積空間と、回転軸を中心に回転して前記集積空間に前記紙葉類を放出する駆動ローラと、前記駆動ローラの前記回転軸と同軸上に設けられ、前記回転軸に固定されるボスと当該ボスの外周面から放射状に延び前記集積空間に放出された紙葉類を叩く複数の舌片とを有する舌片ローラと、前記紙葉類をガイドするガイド面を形成する搬送ガイドとを備え、前記搬送ガイドは、前記ガイド面とは反対側に設けられ、前記回転軸が配置される空間である開放部と、前記開放部と前記ガイド面とを連通し、前記舌片ローラの舌片を前記ガイド面側に露出させる開口部とを有し、前記開放部は、前記複数の舌片のうちの一の舌片が前記回転軸に巻き付くように変形した状態で前記舌片ローラが回転するときに、前記一の舌片全体のうち、当該一の舌片が前記回転軸に巻き付く方向に隣接する次の舌片から当該一の舌片の先端までの部分が収まる大きさとなっている。
【００１２】
本発明は、搬送ガイドの開放部を、変形した一の舌片全体のうち、巻き付く方向に隣接する次の舌片から当該一の舌片の先端までの部分が収まる大きさとすることで、舌片ローラを回転させる途中で、変形した一の舌片が他の舌片と搬送ガイドとの間に挟持されない期間を設けることができ、このとき、舌片が自ら元の形状に戻ることができる。
【発明の効果】
【００１３】
本発明によれば、舌片が変形して他の舌片と搬送ガイドとの間に挟まってしまっても、メンテナンスを行うことなく、紙幣を正常に集積できる状態に復帰できる紙葉類集積装置及び紙葉類処理装置を実現できる。
【図面の簡単な説明】
【００１４】
【図１】紙幣出金機の構成を示す側面図である。
【図２】リジェクトカセットの構成を示す側面図である。
【図３】リジェクトカセットに設けられた放出部の構成を示す前面図である。
【図４】図３に示す放出部のＡ−Ａ断面を拡大した拡大断面図である。
【図５】舌片ローラの構成を示す斜視図である。
【図６】図４に示す放出部から搬送ガイド以外の部分を省略した拡大断面図である。
【図７】舌片ローラの舌片が駆動軸に巻き付くように変形している状態の放出部を示す前面図である。
【図８】図７に示す放出部のＢ−Ｂ断面を拡大した拡大断面図である。
【図９】舌片ローラの舌片が変形してから自分で元の形状に戻るまでの一連の動作の説明に用いる遷移図である。
【図１０】図９につづく遷移図である。
【図１１】図１０につづく遷移図である。
【図１２】比較対象となる放出部の構成を示す拡大断面図である。
【発明を実施するための形態】
【００１５】
以下、発明を実施するための形態（以下実施の形態とする）について、図面を用いて説明する。
【００１６】
［１．紙幣出金機の構成］
図１に模式的な側面図を示すように、紙幣出金機１は、例えば金融機関等に設置され、利用者（すなわち金融機関の顧客）の操作に応じて紙幣を出金するようになっている。この紙幣出金機１は、大きく分けて下側の収納ユニット２と上側の束搬送ユニット３により構成されており、収納ユニット２又は束搬送ユニット３内に全体を制御する制御部（図中省略）が組み込まれている。
【００１７】
尚、顧客が対峙する側（図中右側）を紙幣出金機１の前側、その反対側（図中左側）を紙幣出金機１の後側とし、紙幣出金機１の前側に対峙した顧客から見て左側（図中手前側）及び右側（図中奥側）を、それぞれ紙幣出金機１の左側及び右側と定義して、以下、紙幣出金機１の構成について説明する。
【００１８】
収納ユニット２は、直方体形状の収納筐体１０を有し、この収納筐体１０に、紙幣に関する種々の処理を行う複数の部分が組み込まれている。具体的に、この収納筐体１０には、複数（例えば４個）の収納カセット１１（１１Ａ〜１１Ｄ）と、搬送部１２と、鑑別部１３と、切替部１４と、一時集積部１５と、リジェクトカセット１６とが設けられている。
【００１９】
収納筐体１０には、上側の一部と前側の一部を除く部分に、４個の収納カセット１１（１１Ａ〜１１Ｄ）が上下方向に並ぶようにして取り付けられていて、さらに１番上の収納カセット１１Ａの上方に、一時集積部１５とリジェクトカセット１６が前後方向に並べて設けられている。さらに、収納筐体１０には、一番下の収納カセット１１Ｄの前端近傍から１番上の収納カセット１１Ａの前端近傍まで延び、さらにそこから一時集積部１５及びリジェクトカセット１６へと延びる搬送路１２Ｒが形成されている。
【００２０】
各収納カセット１１は、内部に収納空間が設けられ、この収納空間に紙幣を前後方向に重ねるように集積した状態で収納する。また、各収納カセット１１は、収納空間に収納されている紙幣を１枚ずつ分離して、各収納カセット１１と接続された搬送路１２Ｒへと繰り出すようになっている。
【００２１】
搬送部１２は、搬送路１２Ｒに沿って紙幣を搬送する為の図示しないローラやベルト、これらを駆動するモータ、搬送ガイドなどにより構成されている。鑑別部１３は、一番上の収納カセット１１Ａの前方に搬送路１２Ｒに沿って設けられている。この鑑別部１３は、搬送される紙幣の金種や走行状態等を鑑別し、その鑑別結果を制御部へ供給する。制御部は、得られた鑑別結果を基に、各収納カセット１１から排出された紙幣のうち、出金可能な正常な紙幣の搬送先を一時集積部１５に、出金不可能な紙幣（すなわち出金リジェクト紙幣）の搬送先をリジェクトカセット１６に、それぞれ決定する。
【００２２】
切替部１４は、一時集積部１５とリジェクトカセット１６との間に位置する搬送路１２Ｒの分岐箇所に設けられている。この切替部１４は、制御部の制御に基づき、搬送路１２Ｒに沿って搬送されてきた紙幣の進行方向を、一時集積部１５又はリジェクトカセット１６に切り替える。
【００２３】
一時集積部１５は、リジェクトカセット１６の前側に位置していて、その内部に、紙幣を集積する為の集積空間１５Ｓが設けられている。この一時集積部１５は、搬送路１２Ｒに沿って搬送されてきた紙幣ＢＬを、放出部１５Ｒにより集積空間１５Ｓへ放出して上下方向に移動可能なステージ１５Ｔ上に集積することができる。また、この一時集積部１５は、ステージ１５Ｔを上方に移動させることで、ステージ１５Ｔ上に集積させた紙幣を、一時集積部１５の上方に位置する束搬送ユニット３へ繰り出すことができるようにもなっている。
【００２４】
リジェクトカセット１６は、その内部に、出金リジェクト紙幣を集積する集積空間１６Ｓａと、紙幣束を収納する収納空間１６Ｓｂとが別々に設けられている。このリジェクトカセット１６は、搬送路１２Ｒに沿って搬送されてきた出金リジェクト紙幣を、放出部１６Ｒにより集積空間１６Ｓａへ放出して集積することができる。また、このリジェクトカセット１６は、束搬送ユニット３から落とされた、顧客が取り忘れた紙幣束を取り込み、収納空間１６Ｓｂに収納することができるようにもなっている。
【００２５】
尚、各収納カセット１１とリジェクトカセット１６は、それぞれ収納筐体１０の後側から収納筐体１０外部へ引き出すことができ、また、収納筐体１０の後側から収納筐体１０内部へ装填できるようになっている。
【００２６】
一方、束搬送ユニット３は、収納ユニット２の収納筐体１０よりも前後方向に長く上下方向に短い直方体形状の束搬送筐体２０を有し、この束搬送筐体２０内に、紙幣を束ねた状態で搬送して束搬送筐体２０の前端に位置する出金口２１から排出する為の種々の機構が設けられている。具体的に、この束搬送筐体２０には、束搬送筐体２０の前端近傍から後端近傍にかけて掛け渡された上搬送ベルト２２と、上搬送ベルト２２より前後方向の長さが短く上搬送ベルト２２の前側（すなわち出金口２１側）の一部分と対向する出金口側下搬送ベルト２３と、上搬送ベルト２２より前後方向の長さが短く出金口側下搬送ベルト２３の後端と束搬送筐体２０の後端との間（すなわち一時集積部１５及びリジェクトカセット１６の上方）で上搬送ベルト２２と対向したまま前後方向に移動可能な可動ガイド２４とが設けられている。
【００２７】
束搬送ユニット３は、上搬送ベルト２２、出金口側下搬送ベルト２３及び可動ガイド２４により前後方向に延びる束搬送路３Ｒを形成し、上搬送ベルト２２と、出金口側下搬送ベルト２３及び可動ガイド２４との間に紙幣束を挟持して搬送するようになっている。そして、この束搬送ユニット３は、可動ガイド２４をリジェクトカセット１６の上方に移動させて一時集積部１５の上方を開放することで、一時集積部１５に集積されている紙幣を束搬送路３Ｒへ取り込むことが可能な状態となる。また、束搬送ユニット３は、可動ガイド２４を一時集積部１５の上方に移動させてリジェクトカセット１６の上方を開放することで、顧客が取り忘れた紙幣束（これを取り忘れ紙幣束と呼ぶ）を、束搬送路３Ｒからリジェクトカセット１６に落下させることが可能な状態となる。
【００２８】
紙幣出金機１は、このような構成であり、図示しない操作部により利用者から出金の指示及び出金額を受け付けると、制御部の制御に基づいて、出金処理を行うようになっている。
【００２９】
すなわち、紙幣出金機１は、収納カセット１１から出金額に応じた金種及び枚数の紙幣を順次繰り出し、繰り出した紙幣を鑑別部１３まで搬送して鑑別部１３により鑑別する。そして、紙幣出金機１は、鑑別部１３により出金可能な正常な紙幣と判定された紙幣を一時集積部１５に搬送して集積する一方で、鑑別部１３により出金不可能な紙幣と判定された出金リジェクト紙幣をリジェクトカセット１６に搬送して、リジェクトカセット１６の集積空間１６Ｓａに集積する。
【００３０】
紙幣出金機１は、一時集積部１５に集積した紙幣の金額が出金額に到達すると、収納カセット１１からの紙幣の繰り出しを終了する。ここで、紙幣出金機１は、可動ガイド２４をリジェクトカセット１６の上方に移動させ、一時集積部１５に集積されている紙幣を、集積された状態のまま（つまり束の状態で）束搬送路３Ｒへと繰り出す。そして、紙幣出金機１は、一時集積部１５から繰り出された紙幣束を束搬送路３Ｒに沿って搬送して出金口２１から露出させる。
【００３１】
紙幣出金機１は、出金口２１から露出させた紙幣束が所定時間内に顧客により取り出されたことを図示しないセンサで検出すると、出金処理を終了する。一方で、紙幣出金機１は、出金口２１から露出させた紙幣束が所定時間経過しても取り出されていないことを図示しないセンサで検出すると、可動ガイド２４を一時集積部１５の上方に移動させる。そして、紙幣出金機１は、出金口２１から露出させている紙幣束を、束搬送路３Ｒに沿ってリジェクトカセット１６の上方まで搬送して落下させることで、この紙幣束（すなわち取り忘れ紙幣束）をリジェクトカセット１６の収納空間１６Ｓｂに収納して、出金処理を終了する。
【００３２】
［２．リジェクトカセットの構成］
次に、リジェクトカセット１６の構成について、図２を用いてさらに詳しく説明する。リジェクトカセット１６は、直方体形状のカセット筐体３０を有し、このカセット筐体３０の内部が、前後方向の中央付近に位置する壁３１により前後方向に区切られていて、この壁３１の前側が出金リジェクト紙幣を集積する集積空間１６Ｓａ、この壁３１の後側が取り忘れ紙幣束を収納する収納空間１６Ｓｂとなっている。またカセット筐体３０は、上面が開口していて、上面側から集積空間１６Ｓａと収納空間１６Ｓｂにアクセスして紙幣を取り出すことができるようになっている。
【００３３】
さらにリジェクトカセット１６は、カセット筐体３０の上面を覆う直方体形状の蓋体３２を有している。この蓋体３２は、カセット筐体３０に対して開閉可能に取り付けられていて、閉じることでカセット筐体３０の上面を遮蔽（すなわち集積空間１６Ｓａと収納空間１６Ｓｂを遮蔽）し、開くことでカセット筐体３０の上面を露出（すなわち集積空間１６Ｓａと収納空間１６Ｓｂを露出）するようになっている。またリジェクトカセット１６は、蓋体３２の開閉を規制する錠３３を備え、この錠３３に鍵（図示せず）を差し込んで解錠することで蓋体３２を開くことができるようになっている。
【００３４】
また、蓋体３２には、上面の前側と下面の後側とにそれぞれ開口部３２Ｈａ、３２Ｈｂが形成されているとともに、上面の開口部３２Ｈａと下面の開口部３２Ｈｂとを繋ぐ連通孔３２Ｈｃが形成されている。この連通孔３２Ｈｃは、リジェクトカセット１６の上方に位置する束搬送ユニット３から落下してくる取り忘れ紙幣束を、収納空間１６Ｓｂへと案内する孔である。また、蓋体３２には、上面側の開口部３２Ｈａを遮蔽及び露出するシャッタ３４が設けられている。このシャッタ３４は、リジェクトカセット１６が収納筐体１０から引き出されたときには開口部３２Ｈａを遮蔽し、リジェクトカセット１６が収納筐体１０に装填されたときには開口部３２Ｈａを露出するようにスライドする。
【００３５】
また、カセット筐体３０は、前面中央に、出金リジェクト紙幣を取り込む為の取込口３０Ｈが形成されているとともに、この取込口３０Ｈと集積空間１６Ｓａとの間に、取込口３０Ｈから取り込んだ出金リジェクト紙幣を集積空間１６Ｓａへ放出して集積する放出部１６Ｒが設けられている。尚、出金リジェクト紙幣は、例えば、短手方向に搬送されてリジェクトカセット１６に取り込まれるようになっている。リジェクトカセット１６の構成は、以上のようになっている。
【００３６】
［３．放出部の構成及び動作］
ここで、放出部１６Ｒの構成についてさらに詳しく説明する。図２乃至図４に示すように、放出部１６Ｒは、搬送ガイド４０と、駆動ローラ４１と、従動ローラ４２と、舌片ローラ４３とで構成されている。尚、図３は、放出部１６Ｒを前側から見た前面図であり、図４は、図３のＡ−Ａ断面を拡大した拡大断面図である。また、図３、図４は、それぞれ放出部１６Ｒから従動ローラ４２を省略した図となっている。
【００３７】
搬送ガイド４０は、断面略Ｌ字型の部材であり、例えばＡＢＳ樹脂により形成されている。この搬送ガイド４０は、取込口３０Ｈから集積空間１６Ｓａへと前後方向に延び、取込口３０Ｈと集積空間１６Ｓａとの間で出金リジェクト紙幣の搬送をガイドするガイド面（これを搬送ガイド面と呼ぶ）５０を形成する搬送ガイド面形成部４０Ａと、この搬送ガイド面形成部４０Ａの後端から下方へと延び、集積空間１６Ｓａに集積された出金リジェクト紙幣をガイドするガイド面（これを集積ガイド面と呼ぶ）５１を形成する集積ガイド面形成部４０Ｂとで構成されている。尚、集積ガイド面５１は、集積空間１６Ｓａの前側の壁面でもある。また、搬送ガイド４０は、搬送ガイド面５０と集積ガイド面５１との角部が丸みを帯びたＲ形状となっている。
【００３８】
ここで、この搬送ガイド４０では、搬送ガイド面５０及び集積ガイド面５１が形成されている側をガイド面側、搬送ガイド面５０及び集積ガイド面５１が形成されている側とは反対側を裏面側とする。さらに、この搬送ガイド４０の角部には、搬送ガイド４０のガイド面側と裏面側とを連通する（すなわち厚さ方向に貫通する）スリット５２（５２Ｓ、５２Ｌ）が、左右方向に間隔を空けて複数個（例えば５個）形成されている。
【００３９】
このスリット５２は、搬送ガイド４０の角部の裏面側に配置された駆動ローラ４１の一部及び舌片ローラ４３の一部を、搬送ガイド４０の表面側に露出させる為の孔である。このスリット５２には、幅（すなわち左右方向の長さ）の異なる２種類があり、幅狭のスリット５２Ｓを小スリット５２Ｓと呼び、幅広のスリット５２Ｌを大スリット５２Ｌと呼ぶ。小スリット５２Ｓは、舌片ローラ４３の一部を露出させる為の孔であり、舌片ローラ４３の幅よりわずかに大きな幅を有している。一方、大スリット５２Ｌは、駆動ローラ４１の一部と舌片ローラ４３の一部を露出させる為の孔であり、駆動ローラ４１の幅と舌片ローラ４３の幅を足した幅よりわずかに大きな幅を有している。
【００４０】
そして、搬送ガイド４０の角部には、例えば、左右方向の中央と左右両端にそれぞれ１個ずつの計３個の小スリット５２Ｓが形成され、中央の小スリット５２Ｓと左右両端の小スリット５２Ｓとの間にそれぞれ１個ずつの計２個の大スリット５２Ｌが形成されている。尚、これら小スリット５２Ｓ及び大スリット５２Ｌの位置は、駆動ローラ４１及び舌片ローラ４３の配置に基づいて選定されている。
【００４１】
駆動ローラ４１は、搬送ガイド４０の角部の裏面側の空間（これを開放部と呼ぶ）５３に配置された、左右方向に延びる１本の駆動軸５４に固定されている。駆動軸５４は、左右両端部がカセット筐体３０に回転可能に支持されていて、図示しないモータにより回転させられる回転軸である。この駆動軸５４には、搬送ガイド４０の大スリット５２Ｌと対向する２箇所に、それぞれ駆動ローラ４１が固定されている。つまり、駆動軸５４には、２個の駆動ローラ４１が固定されている。各駆動ローラ４１は、それぞれ外周の一部が、搬送ガイド４０に形成されている各大スリット５２Ｌから搬送ガイド面５０側に突出するようになっていて、駆動軸５４が回転することにともなって回転するようになっている。
【００４２】
従動ローラ４２は、駆動ローラ４１の上方に対向配置されている。この従動ローラ４２は、駆動ローラ４１側に付勢されていて、駆動ローラ４１と連れ回りで回転するようになっている。
【００４３】
舌片ローラ４３も、駆動ローラ４１と同様、駆動軸５４に固定されていて、駆動ローラ４１と同軸で回転するようになっている。具体的に、駆動軸５４には、搬送ガイド４０の大スリット５２Ｌと対向する２箇所に、それぞれ駆動ローラ４１と近接して舌片ローラ４３が固定されていて、且つ小スリット５２Ｓと対向する３箇所に、それぞれ舌片ローラ４３が固定されている。つまり、駆動軸５４には、２個の駆動ローラ４１と、５個の舌片ローラ４３が固定されている。尚、大スリット５２Ｌと対向する箇所で駆動ローラ４１と近接する舌片ローラ４３は、駆動ローラ４１の左右両側のうち、例えば、駆動軸５４の軸方向の中心から遠い側に近接するようになっている。
【００４４】
各舌片ローラ４３は、図５に斜視図を示すように、駆動軸５４に固定される円筒状のボス６０と、このボス６０の外周面から放射状に延びる複数（例えば９０度間隔で４本）の舌片６１（６１Ａ〜６１Ｄ）とで構成された羽根車形状のローラであり、ゴムなどの弾性素材を用いて一体成形されている。具体的に、この舌片ローラ４３は、例えばゴム硬度６０°（誤差±５％、ＪＩＳ  Ａで測定）の塩素化ポリエチレンを用いて一体成形されている。尚、ボス６０の幅と舌片６１の幅は等しく、例えば４ｍｍ程度となっている。尚、各舌片６１は、ボス６０の外周面から放射する方向の長さ（つまり根本から先端までの長さ）を全長とする。各舌片ローラ４３は、図３に示すように、舌片６１が、搬送ガイド４０に形成されている各小スリット５２Ｓ及び各大スリット５２Ｌを通って搬送ガイド４０のガイド面側に突出するようになっている。
【００４５】
つまり、放出部１６Ｒは、搬送ガイド４０に形成された３箇所の小スリット５２Ｓから、舌片ローラ４３の舌片６１が搬送ガイド４０のガイド面側に突出するとともに、２箇所の大スリット５２Ｌから、舌片ローラ４３の舌片６１と駆動ローラ４１の外周の一部が、搬送ガイド４０のガイド面側に突出するようになっている。
【００４６】
また、搬送ガイド４０の角部の裏面側は、図４から舌片ローラ４３などを省略した図６にも示すように、搬送ガイド面５０の裏側に位置する前後方向に延びる第１の平面６２と、集積ガイド面５１の裏側に位置する上下方向に延びる第２の平面６３と、これらの間を繋ぐ曲面６４とで構成されていて、これら３つの面６２、６３、６４により側面視で（つまり駆動軸５４の軸方向から見て）略扇型の開放部５３が形成されている。搬送ガイド４０の角部に形成されている各スリット５２（５２Ｓ、５２Ｌ）は、この開放部５３と搬送ガイド４０の角部のガイド面とを連通している。
【００４７】
開放部５３を形成する第１の平面６２は、搬送ガイド面５０と平行ではなく曲面６４から離れる方向に下る傾斜面となっていて、第２の平面６３は、集積ガイド面５１と平行な面となっている。曲面６４は、図４に示すように、舌片ローラ４３のボス６０の外周の一部分に沿うように形成された側面視で円弧状の面であり、第１の平面６２に対して上方に窪んでいる。これら３つの面６２、６３、６４で形成される開放部５３に、舌片ローラ４３のボス６０の外周の一部分が曲面６４に沿うようにして駆動軸５４が配置され、舌片ローラ４３の舌片６１と駆動ローラ４１の外周の一部がスリット５２からガイド面側に突出するようになっている。
【００４８】
また、舌片ローラ４３のボス６０から延びる４本の舌片６１（６１Ａ〜６１Ｄ）は、ボス６０が図４中矢印Ａで示す反時計回り方向に回転することにともなって、根本部分がスリット５２内から開放部５３内へ、そしてまた開放部５３内からスリット５２内へと移動する。そして、舌片６１の根本部分がスリット５２内に位置するときに、この舌片６１の根本部分より先の部分がスリット５２からガイド面側に突出するようになっている。放出部１６Ｒの構成は、以上のようになっている。
【００４９】
次に、放出部１６Ｒによる集積動作について簡単に説明する。放出部１６Ｒは、取り込んだ出金リジェクト紙幣を１枚ずつ、回転させている駆動ローラ４１と従動ローラ４２との間に挟持して後方の集積空間１６Ｓａの上部へと放出する。さらに、放出部１６Ｒは、集積空間１６Ｓａの上部へと放出した出金リジェクト紙幣の前端を、回転させている舌片ローラ４３の舌片６１により下方に叩き落とすことで、集積空間１６Ｓａに出金リジェクト紙幣を上下方向に集積する。またこのとき、放出部１６Ｒは、出金リジェクト紙幣の前端を舌片６１により集積ガイド面５１に引き寄せて、出金リジェクト紙幣の前端を集積ガイド面５１に沿って整列させた状態で集積する。このようにして、放出部１６Ｒは、出金リジェクト紙幣を集積空間１６Ｓａに集積するようになっている。
【００５０】
ところで、リジェクトカセット１６は、上述したように、小スリット５２Ｓの幅が舌片６１の幅よりわずかに大きい為、図３に示すように、小スリット５２Ｓから突出する舌片６１の左右両側には、それぞれ搬送ガイド４０との間に隙間７０が空くようになっている。また、リジェクトカセット１６は、大スリット５２Ｌの幅が舌片６１の幅に駆動ローラ４１の幅を足した長さよりわずかに大きい為、大スリット５２Ｌから突出する舌片６１における駆動ローラ４１と対向する側とは反対側にも、搬送ガイド４０との間に隙間７０が空くようになっている。隙間７０は、舌片６１の幅（４ｍｍ程度）よりわずかに狭い３ｍｍ程度の幅となっている。
【００５１】
また一方で、リジェクトカセット１６へと搬送されてくる出金リジェクト紙幣は、折れ曲がりや破れた状態の紙幣や、複数枚が重なった重送状態の紙幣が混在している。この為、リジェクトカセット１６では、このような出金リジェクト紙幣を舌片６１により叩き落とす際に舌片６１への抵抗が増加して、舌片６１の回転軌跡が本来の回転軌跡から回転軸方向（左右方向）にずれることがある。さらに、リジェクトカセット１６では、図７及び図８に示すように、本来の回転軌跡からずれた舌片６１が、駆動軸５４に巻き付くように変形して他の舌片６１と搬送ガイド４０との隙間７０に入り込み、他の舌片６１と搬送ガイド４０とにより挟持されてしまうことがある。尚、図７は、舌片６１が駆動軸５４に巻き付くように変形している状態の放出部１６Ｒを前側から見た前面図であり、図８は、図７のＢ−Ｂ断面を拡大した拡大断面図である。
【００５２】
舌片６１は、弾性素材で形成されている為、変形しただけであれば元の形状に戻ることができるが、変形して他の舌片６１と搬送ガイド４０とにより挟持されてしまうと、元の形状に戻ることができなくなる。そして、舌片６１が駆動軸５４に巻き付くように変形したままだと、舌片ローラ４３は、正常に機能する舌片６１の数が減る為、出金リジェクト紙幣を１枚１枚適切に叩き落とすことができなくなる。
【００５３】
そこで、本実施の形態のリジェクトカセット１６では、舌片ローラ４３の舌片６１が駆動軸５４に巻き付くように変形して他の舌片６１と搬送ガイド４０とにより挟持されても、舌片ローラ４３を回転させている途中で、他の舌片６１と搬送ガイド４０とによる舌片６１の挟持を解除させて、変形した舌片６１を元の形状に戻すことができるようになっている。
【００５４】
具体的に説明すると、図８に示すように、例えば、４本の舌片６１（６１Ａ〜６１Ｄ）のうちの１本の舌片６１Ａが駆動軸５４に巻き付くように変形する場合、この舌片６１Ａは、図中矢印Ａで示す回転方向とは逆方向（これを巻き付き方向とする）に倒れてボス６０の外周に沿うように円弧状に変形する。ここで、変形している舌片６１Ａから見て巻き付き方向に隣接する舌片６１Ｂを１番目の舌片６１Ｂ、その次の舌片６１Ｃを２番目の舌片６１Ｃ、さらにその次の舌片６１Ｄを３番目の舌片６１Ｄとすると、変形した舌片６１Ａの先端は、２番目の舌片６１Ｃの根本部分と３番目の舌片６１Ｄの根本部分の間に位置する。つまり、各舌片６１の長さ（すなわち全長）は、ボス６０の外周の半分（１／２）より長く、外周の３／４より短い長さとなっている。
【００５５】
このとき、変形した舌片６１Ａは、１番目の舌片６１Ｂの根本部分と２番目の舌片６１Ｃの根本部分の横を通る為、これら１番目の舌片６１Ｂの根本部分と２番目の舌片６１Ｃの根本部分が小スリット５２Ｓ内に位置するとき（図１０（Ａ）のとき）、これら１番目の舌片６１Ｂの根本部分と２番目の舌片６１Ｃの根本部分と搬送ガイド４０との間に挟持されることになる。
【００５６】
ここで、リジェクトカセット１６の放出部１６Ｒは、図８に示すように、変形した舌片６１Ａ全体（すなわち舌片６１Ａの全長）のうち、１番目の舌片６１Ｂの根本部分を起点として、舌片６１Ａ先端までの部分が開放部５３内に収まる（つまりスリット５２よりも開放部５３側に位置する）ことができるように開放部５３の大きさが選定されている。換言すれば、開放部５３は、第１の平面６２と第２の平面６３との間をボス６０の外周に沿って結ぶ長さＸが、１番目の舌片６１Ｂの根本部分から変形している舌片６１Ａの先端までの長さＹより長くなっている。逆の言い方をすれば、放出部１６Ｒは、長さＹが長さＸより短くなるように、舌片６１の長さが選定されている。さらに別の言い方をすれば、変形している舌片６１Ａと接する１番目の舌片６１Ｂの根本部分と２番目の舌片６１Ｃの根本部分の両方が開放部５３内（つまりスリット５２よりも開放部５３側）に位置できるように開放部５３の大きさが選定されている。
【００５７】
開放部５３をこのような大きさにすると、図８に示すように、舌片ローラ４３を回転している途中で、変形している舌片６１Ａ全体（舌片６１Ａの全長）のうち、１番目の舌片６１Ｂの根本部分から舌片６１Ａの先端までの部分が開放部５３内（すなわち小スリット５２Ｓよりも開放部５３側）に位置する期間が発生する。このとき、変形している舌片６１Ａは、幅方向の両側を１番目の舌片６１Ｂの根本部分及び２番目の舌片６１Ｃの根本部分と搬送ガイド４０とにより挟持されていた状態から、幅方向の片側に１番目の舌片６１Ｂの根本部分と２番目の舌片６１Ｃの根本部分が位置するだけの状態となる為、１番目の舌片６１Ｂの根本部分及び２番目の舌片６１Ｃの根本部分と搬送ガイド４０とによる挟持が解除される。そしてこのとき、変形している舌片６１Ａは、弾性力によって元の形状に戻る。
【００５８】
尚、厳密に言うと、ここでは、１番目の舌片６１Ｂの根本部分における、舌片６１Ａの根本部分から遠い方の面（厚さ方向の一面）から舌片６１Ａの先端までの長さをＹとしているが、舌片６１の厚さは舌片６１の長さと比べて十分薄い為、舌片６１Ａの根本部分に近い方の面（厚さ方向の他面）から舌片６１Ａの先端までの長さをＹとしたり、１番目の舌片６１Ｂの根本部分における厚さ方向の中心から舌片６１Ａの先端までの長さをＹとしたりしてもよい。
【００５９】
ここで、舌片６１Ａが変形して１番目の舌片６１Ｂの根本部分及び２番目の舌片６１Ｃの根本部分と搬送ガイド４０とにより挟持され、その後、変形した舌片６１Ａの挟持が解除されて元の形状に戻るまでの一連の動作を、図９乃至図１１を用いてより詳しく説明する。
【００６０】
まず、図９（Ａ）及び（Ｂ）に示すように、出金リジェクト紙幣を叩き落とす際などに舌片６１Ａへの抵抗が増加して舌片６１Ａの回転軌跡が本来の回転軌跡からずれると、舌片ローラ４３が矢印Ａ方向に回転しながら、舌片６１Ａが舌片ローラ４３の回転方向とは逆方向に折り曲げられて、１番目の舌片６１Ｂと搬送ガイド４０との間に入り込んでいく。このとき、変形した舌片６１Ａは、１番目の舌片６１Ｂと搬送ガイド４０とにより挟持された状態となる。
【００６１】
この状態から、さらに舌片ローラ４３が矢印Ａ方向に回転していくと、図９（Ｃ）に示すように、折り曲げられた舌片６１Ａが、搬送ガイド４０との摩擦力によって回転方向とは逆方向に引っ張られることにより、駆動軸５４に巻き付くように変形していく。そして、図１０（Ａ）に示すように、駆動軸５４に巻き付くように変形した舌片６１Ａは、先端が２番目の舌片６１Ｃの根本部分と３番目の舌片６１Ｄの根本部分との間に到達する。このとき、１番目の舌片６１Ｂの根本部分と２番目の舌片６１Ｃの根本部分が両方とも小スリット５２Ｓ内に位置する為、変形した舌片６１Ａは、１番目の舌片６１Ｂの根本部分及び２番目の舌片６１Ｃの根本部分と搬送ガイド４０とにより挟持された状態となる。
【００６２】
その後、さらに舌片ローラ４３が矢印Ａ方向に回転していくと、図１０（Ｂ）に示すように、１番目の舌片６１Ｂの根本部分が小スリット５２Ｓから抜け出して開放部５３内に位置する状態となる。このとき、１番目の舌片６１Ｂの根本部分と搬送ガイド４０とによる舌片６１Ａの挟持は解除されたものの、まだ２番目の舌片６２Ｃの根本部分と搬送ガイド４０とによる舌片６１Ａの挟持が継続している為、舌片６１Ａは変形したままとなる。
【００６３】
その後、さらに舌片ローラ４３が矢印Ａ方向に回転していくと、図１０（Ｃ）に示すように、２番目の舌片６１Ｃの根本部分が小スリット５２Ｓから抜け出して開放部５３内に位置する状態となる。このとき、１番目の舌片６１Ｂの根本部分と２番目の舌片６１Ｃの根本部分の両方が、開放部５３内に位置する状態となる為、１番目の舌片６１Ｂの根本部分及び２番目の舌片６１Ｃの根本部分と搬送ガイド４０とによる舌片６１Ａの挟持が解除される。このようにして挟持が完全に解除されると、図１１（Ａ）、（Ｂ）に示すように、変形している舌片６１Ａは、自身の弾性によって元の形状に戻る。一連の動作は、以上のようになっている。
【００６４】
尚、リジェクトカセット１６では、図３に示すように、舌片ローラ４３と駆動ローラ４１との間に第２の隙間としての隙間７１が空いているが、舌片ローラ４３と駆動ローラ４１が同軸で回転する回転部材の為、この隙間７１を第１の隙間としての隙間７０より狭くすることができる。実際、この隙間７１は、隙間７０より十分狭くなっている。これにより、リジェクトカセット１６は、舌片ローラ４３と駆動ローラ４１との隙間７１に、舌片６１が変形して入り込んでしまうことを防ぐことができる。これに対して、舌片ローラ４３と搬送ガイド４０との隙間７０は、回転部材と固定部材との隙間となる為、その大きさに制限があり、隙間７１と同程度にまで狭くすることはできない。
【００６５】
［４．まとめと効果］
ここまで説明したように、本実施の形態では、リジェクトカセット１６の放出部１６Ｒにおいて、搬送ガイド４０の裏面側の開放部５３を、変形した舌片６１Ａ全体のうち、１番目の舌片６２Ｂの根本部分から舌片６１Ａの先端までの部分が開放部５３内に収まることができる大きさとした。こうすることで、リジェクトカセット１６の放出部１６Ｒは、舌片ローラ４３を回転している途中で、変形している舌片６１Ａ全体のうち、１番目の舌片６２Ｂの根本部分から舌片６１Ａの先端までの部分が開放部５３内（すなわちスリット５２外）に位置する期間を設けることができる。
【００６６】
この期間では、１番目の舌片６１Ｂの根本部分及び２番目の舌片６１Ｃの根本部分と搬送ガイド４０とによる舌片６１Ａの挟持が解除される為、変形している舌片６１Ａは、自身の弾性によって、元の形状に戻ることができる。
【００６７】
このように、リジェクトカセット１６では、舌片ローラ４３の舌片６１が変形して他の舌片６１と搬送ガイド４０との隙間７０に挟まってしまっても、舌片ローラ４３を回転させている途中で、変形している舌片６１が自ら元の形状に戻ることができるので、例えば、変形している舌片６１を元の形状に戻すようなメンテナンスを行うことなく、入金リジェクト紙幣を正常に集積できる状態に復帰できる。
【００６８】
ここで、本実施の形態の放出部１６Ｒの比較対象となる放出部１００について、図１２（Ａ）、（Ｂ）を用いて説明する。この放出部１００は、舌片ローラ１０１における舌片１０２の数を放出部１６Ｒより多く（例えば８本）し、搬送ガイド１０３の裏面側の開放部１０４の大きさを放出部１６Ｒより小さくしたものである。尚、舌片１０２の長さは、放出部１６Ｒの舌片６１と同じである。
【００６９】
この放出部１００の場合、舌片１０２の数が多く舌片１０２同士の間隔が狭い為、図１２（Ｂ）に示すように、変形している舌片１０２Ａから見て巻き付き方向に隣接する１番目の舌片１０２Ｂの根本部分から変形している舌片１０２Ａの先端までの長さＹｏが、放出部１６Ｒにおける長さＹより長くなる。そのうえで、この放出部１００は、第１の平面１０５と第２の平面１０６との間をボス１０７の外周に沿って結ぶ長さＸｏが放出部１６Ｒにおける長さＸより短く、且つ長さＹｏより短くなっている。
【００７０】
このような放出部１００の場合、舌片ローラ１０１の舌片１０２Ａが変形して例えば１番目〜５番目の舌片１０２Ｂ〜１０２Ｆのそれぞれと搬送ガイド１０３との間に挟まってしまうと、舌片ローラ１０１を回転させても、１番目の舌片１０２Ｂの根本部分から変形している舌片１０２Ａの先端までの部分が開放部１０４内に位置する状況が起こり得ない為、変形している舌片１０２Ａが常に他の舌片１０２Ｂ〜１０２Ｆのいずれかと搬送ガイド１０３との間に挟持され続けることになる。ゆえに、リジェクトカセット１６が、このような放出部１００を有する場合、変形している舌片１０２Ａを元の形状に戻す為のメンテナンスが必要となってくる。
【００７１】
これに対して、本実施の形態の放出部１６Ｒは、舌片６１の長さは同じでも、舌片６１同士の間隔を広くすることで、長さＹを放出部１００における長さＹｏより短くすることができ、そのうえで、第１の平面６２と第２の平面６３との間をボス６０の外周に沿って結ぶ長さＸを長さＹより長くすることにより、舌片ローラ４３を回転させている途中で、変形している舌片６１を元の形状に戻すことができる。つまり、放出部１６Ｒは、放出部１００と同等の集積能力を備えつつ、放出部１００と比べてメンテナンス頻度を減らすことができるようになっている。
【００７２】
尚、舌片ローラ４３における舌片６１の数を減らせば、その分、長さＹを短くできるが、舌片６１の数を減らしすぎると、駆動ローラ４１と従動ローラ４２により集積空間１６Ｓａの上部に放出された出金リジェクト紙幣を１枚１枚適切に叩き落とすことができなくなる。この為、舌片６１の数は、放出された出金リジェクト紙幣を１枚１枚適切に叩き落とすことができる範囲で最も少なくすることが望ましい。ゆえに、本実施の形態の放出部１６Ｒでは、舌片６１の数が、放出された出金リジェクト紙幣を１枚１枚適切に叩き落とすことができる範囲で最も少ない４本となっている。
【００７３】
また、本実施の形態の放出部１６Ｒは、舌片６１と搬送ガイド４０との隙間７０が舌片６１の幅より狭くなっている為、変形した舌片６１が隙間７０に入り込んで挟持される。ここで、この隙間７０を舌片６１の幅より広くすれば、変形した舌片６１が、この隙間７０に入り込んでも挟持されなくなる為、変形している舌片６１が自ら元の形状に戻ることができるようになる。しかしながら、この場合、舌片６１と搬送ガイド４０との隙間７０が広くなる分、この隙間７０に出金リジェクト紙幣が入り込んで、出金リジェクト紙幣を傷付けたり、破ったりする可能性が高くなる。
【００７４】
ゆえに、本実施の形態の放出部１６Ｒでは、舌片６１と搬送ガイド４０との隙間７０を舌片６１の幅より狭くしている。換言すれば、放出部１６Ｒは、出金リジェクト紙幣を傷付けたり、破ったりすることなく、変形している舌片６１が自ら元の形状に戻ることができるようになっている。
【００７５】
[５．他の実施の形態］
[５−１．他の実施の形態１]
尚、上述した実施の形態では、舌片ローラ４３における舌片６１の数を４本としたが、これに限らず、３本以下、もしくは５本以上としてもよい。尚、上述したように、舌片６１の数を多くすると、図８に示す長さＹが長くなってしまう為、これに合わせて開放部５３における長さＸも長くしなければならなくなる。この点を考慮すると、舌片ローラ４３における舌片６１の数は、できる限り少なくすることが望ましい。
【００７６】
[５−２．他の実施の形態２]
また、上述した実施の形態では、搬送ガイド４０の角部の裏面側に、第１の面の具体例である第１の平面６２と第２の面の具体例である第２の平面６３と曲面６４によって駆動軸５４の軸方向から見て略扇型の開放部５３を形成するようにしたが、長さＸが長さＹより長いという条件を満たしていれば、開放部５３の形状を、上述した実施の形態とは異なる形状としてもよい。例えば、第１の平面６２が搬送ガイド面５０と平行になっていたり、第２の平面６３が集積ガイド面５１と平行ではない傾斜面となっていたりしてもよい。また、第１の平面６２や第２の平面６３を、平面ではなく曲面にするなどしてもよい。
【００７７】
[５−３．他の実施の形態３]
さらに、上述した実施の形態では、リジェクトカセット１６に、ボス６０の幅と舌片６１の幅とが等しい舌片ローラ４３を設けたが、これに限らず、ボス６０の幅が舌片６１の幅より大きい舌片ローラを設けるようにしてもよい。この場合も、上述した実施の形態と同様、変形した舌片６１は、舌片ローラが回転している途中で元の形状に戻ことができる。
【００７８】
また、上述した実施の形態では、リジェクトカセット１６に、ボス６０と舌片６１とが一体成形された舌片ローラ４３を設けたが、これに限らず、ボス６０と舌片６１とが別部品であり、ボス６０に舌片６１を取り付けた舌片ローラを設けるようにしてもよい。さらに、上述した実施の形態では、リジェクトカセット１６に、ゴム硬度６０°（誤差±５％、ＪＩＳ  Ａで測定）の塩素化ポリエチレンを用いて一体成形された舌片ローラ４３を設けたが、これに限らず、変形しても自ら元の形状に戻ることができるものであれば、他の弾性素材で形成された舌片ローラを設けるようにしてもよい。
【００７９】
[５−４．他の実施の形態４]
さらに、上述した実施の形態では、舌片６１の長さを、ボス６０の外周の半分（１／２）より長く、外周の３／４より短い長さとしたが、これに限らず、ボス６０の外周の３／４より長くしたり、外周の半分より短くしてもよい。ただし、舌片６１の長さをボス６０の外周より長くすると、変形した舌片６１Ａの先端がボス６０を１周回って舌片６１Ａの根本部分に到達する為、変形した舌片６１Ａが常に舌片６１Ａ〜６１Ｄのうちの少なくとも１つと搬送ガイド４０とにより挟持されてしまうことになる。ゆえに、舌片６１の長さは、ボス６０の外周より短くすることが望ましい。
【００８０】
[５−５．他の実施の形態５]
さらに、上述した実施の形態では、紙葉類集積装置の具体例であるリジェクトカセット１６に本発明を適用したが、これに限らず、リジェクトカセット１６と同様に、紙幣などの紙葉類を集積空間に放出して集積するものであれば、リジェクトカセット１６とは異なる紙葉類集積装置に適用してもよい。例えば、一時集積部１５や、出金リジェクト紙幣を集積する機能のみを備えた単一機能のリジェクトカセット、紙幣の集積機能と繰出機能を備えた紙幣収納庫などに適用してもよい。
【００８１】
また、上述した実施の形態では、紙葉類処理装置の具体例である紙幣出金機１に本発明を適用したが、これに限らず、紙葉類を集積空間に放出して集積する紙葉類集積装置を備えるものであれば、紙幣の入金及び出金が可能な現金自動取引装置などに適用してもよい。尚、現金自動取引装置には、紙葉類集積装置の具体例として、例えば、利用者との間で紙幣の受け渡しを行う入出金部、リジェクト紙幣を収納するリジェクト庫、出金する紙幣を繰り出すとともに入金された紙幣を集積する紙幣収納庫などが設けられているものとする。
【００８２】
［５−６．他の実施の形態６］
さらに、上述した実施の形態では、搬送ガイド４０に、小開口部の具体例である小スリット５２Ｓを３個と、大開口部の具体例である大スリット５２Ｌを２個設け、３個の小スリット５２Ｓのそれぞれから舌片ローラ４３の舌片６１を露出させ、２個の大スリット５２Ｌのそれぞれから舌片ローラ４３の舌片６１と駆動ローラ４１の外周の一部を露出させるようにした。これに限らず、搬送ガイド４０に設ける開口部としてのスリット５２の数、位置、大きさ、種類については、放出部１６Ｒが有する舌片ローラ４３及び駆動ローラ４１の数、位置、大きさに応じて、適宜変更するようにしてもよい。
【００８３】
［５−７．他の実施の形態７］
さらに本発明は、上述した各実施の形態に限定されるものではない。すなわち本発明は、上述した各実施の形態の一部又は全部を任意に組み合わせた実施の形態や、一部を抽出した実施の形態にもその適用範囲が及ぶものである。
【産業上の利用可能性】
【００８４】
本発明は、紙幣などの紙葉類を集積空間に放出して集積するタイプの紙葉類集積装置で広く利用できる。
【符号の説明】
【００８５】
１……紙幣出金機、１６……リジェクトカセット、１６Ｒ、１００……放出部、１５Ｓ、１６Ｓａ……集積空間、４０、１０３……搬送ガイド、４１……駆動ローラ、４２……従動ローラ、４３、１０１……舌片ローラ、４０Ａ……搬送ガイド面形成部、４０Ｂ……集積ガイド面形成部、５０……搬送ガイド面、５１……集積ガイド面、５２……スリット、５２Ｓ……小スリット、５２Ｌ……大スリット、５３、１０４……開放部、５４……駆動軸、６０、１０７……ボス、６１、１０２……舌片、６２、１０５……第１の平面、６３、１０６……第２の平面、６４……曲面、７０、７１……隙間。
【図１】
2018112943.tif 000003
【図２】
2018112943.tif 000004
【図３】
2018112943.tif 000005
【図４】
2018112943.tif 000006
【図５】
2018112943.tif 000007
【図６】
2018112943.tif 000008
【図７】
2018112943.tif 000009
【図８】
2018112943.tif 000010
【図９】
2018112943.tif 000011
【図１０】
2018112943.tif 000012
【図１１】
2018112943.tif 000013
【図１２】
2018112943.tif 000014